(57)【特許請求の範囲】
【請求項１】
容器と、容器に接続した空気吸入管及び体液吸引管を備え、空気吸入管を口に銜え、容器の内部の空気を吸引して容器本体内部を負圧にし、この負圧により体液吸引管を通して体液を容器内に吸引して蓄える体液吸引器であって、
容器の内部にダイヤフラムを設けることにより、ダイヤフラムを介して隣接する第１室と第２室を区画形成し、
第１室に空気吸入管を接続し、
第２室に排気口と、体液吸引口を形成し、
体液吸引口に体液吸引管を接続し、
排気口に第２室から容器本体の外部への空気の流れを許容し、その逆方向の空気の流れを阻止する排気用逆止弁を設け、
体液吸引口に体液吸引管から第２室への空気の流れを許容し、その逆方向の空気の流れを阻止する吸引用逆止弁を設けた体液吸引器であって、
容器が、上端面を開口し、上端面開口の周囲にフランジ部を形成した有底筒型の容器本体と、容器本体の上端面開口に着脱可能に装着され、上端面開口を覆蓋する蓋から成り、
ダイヤフラムが、上端面を開口し、上端面開口の周囲にフランジ部を形成した有底筒型を有し、
ダイヤフラムを容器本体に挿入して、ダイヤフラムのフランジ部を容器本体のフランジ部に載置し、蓋を容器本体の上端面開口に被せるとともに、蓋でダイヤフラムのフランジ部を容器本体のフランジ部に圧接し、
蓋とダイヤフラムで第１室を区画形成し、
ダイヤフラムと容器本体で第２室を区画形成し、
容器本体に弁座を形成し、弁座の内部に前記排気口と体液吸引口を設け、
軟質プラスチック材料からなり前記排気用逆止弁と前記吸引用逆止弁を一体に成型した吸排気弁を前記弁座に着脱可能に圧接したことを特徴とする体液吸引器。
【発明の詳細な説明】
【技術分野】
【０００１】
本発明は、鼻腔に詰まった鼻汁や、喉に詰まった痰などの体液を吸引して除去する体液吸引器に関する。
【背景技術】
【０００２】
体液吸引器の一形式として、特開２０１４−１８４９９号公報には、容器に空気吸入管と鼻汁吸引管を接続した鼻汁吸引器が開示されている。乳幼児がインフルエンザに罹って鼻づまりになったとき、母親が乳幼児の鼻腔に鼻汁吸引管を挿入し、母親が空気吸入管を口に銜えて吸うと、容器の内部の空気が吸引されて、容器本体内部が負圧になり、この負圧によって鼻腔から鼻汁が、鼻汁吸引管を通して容器内に吸引され、蓄えられる。
【０００３】
上述した鼻汁吸引器は、口に銜えた空気吸入管を強く吸ったとき、容器に溜まっている鼻汁が空気吸入管を通って母親の口に侵入するおそれがある。また、鼻汁だけでなく罹患した幼児からインフルエンザウィルスも吸引されるので、母親がインフルエンザに感染するおそれがある。
【０００４】
一方、特開２００５−２８７５２０号公報には、容器に空気吸入管と、体液吸引管を接続し、容器内部には、空気吸入管を通って体液が口に侵入するのを防止するため、フィルターを設けた体液吸引器が開示されている。
【先行技術文献】
【特許文献】
【０００５】
【特許文献１】特開２０１４−１８４９９号公報
【特許文献２】特開２００５−２８７５２０号公報
【発明の概要】
【発明が解決しようとする課題】
【０００６】
上述した体液吸引器では、口に銜えた空気吸入管を強く吸っても、鼻汁や、痰などの体液がフィルターに捕捉されるので、体液が空気吸入管を通って口へ侵入するおそれはない。
しかしながら、インフルエンザウィルスの侵入を防ぐことができるように、目の極めて細かいフィルターを用いた場合、フィルターが体液で目詰まりし易く、フィルターの目詰まりが生ずると、空気吸入管を軽く吸っただけでは体液を吸引できず、空気吸入管を強く吸引しなければならない。そのため、使い勝手が悪い。
【０００７】
本発明はかかる問題点に鑑み、空気吸入管を強く吸わなくても体液を容器内部に吸引して溜めることができ、かつ空気吸引管を強く吸っても容器内部に溜まった体液や罹患者のインフルエンザウィルスなどが空気吸入管を通って口に侵入するおそれのない体液吸引器を提供することを目的とする。
【課題を解決するための手段】
【０００８】
請求項１に記載の発明は、容器と、容器に接続した空気吸入管及び体液吸引管を備え、空気吸入管を口に銜え、容器の内部の空気を吸引して容器本体内部を負圧にし、この負圧により体液吸引管を通して体液を容器内に吸引して蓄える体液吸引器であって、
容器の内部にダイヤフラムを設けることにより、ダイヤフラムを介して隣接する第１室と第２室を区画形成し、
第１室に空気吸入管を接続し、
第２室に排気口と、体液吸引口を形成し、
体液吸引口に体液吸引管を接続し、
排気口に第２室から容器本体の外部への空気の流れを許容し、その逆方向の空気の流れを阻止する排気用逆止弁を設け、
体液吸引口に体液吸引管から第２室への空気の流れを許容し、その逆方向の空気の流れを阻止する吸引用逆止弁を設けた体液吸引器であって、
容器が、上端面を開口し、上端面開口の周囲にフランジ部を形成した有底筒型の容器本体と、容器本体の上端面開口に着脱可能に装着され、上端面開口を覆蓋する蓋から成り、
ダイヤフラムが、上端面を開口し、上端面開口の周囲にフランジ部を形成した有底筒型を有し、
ダイヤフラムを容器本体に挿入して、ダイヤフラムのフランジ部を容器本体のフランジ部に載置し、蓋を容器本体の上端面開口に被せるとともに、蓋でダイヤフラムのフランジ部を容器本体のフランジ部に圧接し、
蓋とダイヤフラムで第１室を区画形成し、
ダイヤフラムと容器本体で第２室を区画形成し、
容器本体に弁座を形成し、弁座の内部に前記排気口と体液吸引口を設け、
軟質プラスチック材料からなり前記排気用逆止弁と前記吸引用逆止弁を一体に成型した吸排気弁を前記弁座に着脱可能に圧接したことを特徴とする。
【発明の効果】
【０００９】
請求項１に記載の発明によれば、空気吸入管の先端部を口に銜えて吸うと、ダイヤフラムが変形して第１室の容積が減少し、それに伴って第１室に隣接する第２室の容積が拡大する。第２室は排気用逆止弁で外部と遮断されているので、第２室に負圧が発生する。この負圧によって鼻汁や痰などの体液が鼻腔や喉に差し込まれた体液吸引管を通して第２室に吸引される。その際、第１室と第２室はダイヤフラムで隔絶されているので、空気吸入管を強く吸っても第２室から体液やウィルスが空気吸入管を通って口に吸い込まれることはない。
【００１０】
次に、口から空気吸入管を通して第１室に空気を吹き込むと、変形していたダイヤフラムが復元し、第１室の容積が拡大するとともに、排気用逆止弁が開いて第２室が外部に連通し、第２室の容積が減少し、元の容積に戻る。その際、体液吸引口は吸引用逆止弁で閉じているので、第２室に吸引されている体液が体液吸引管へ逆流することはない。
【００１１】
また、蓋を容器本体から取り外すことにより、体液吸引器を蓋と容器本体及びダイヤフラムに分解できるので、各部を別々に洗浄して汚れを除去できる。
【図面の簡単な説明】
【００１２】
【図１】本発明の第１実施例に係る鼻汁吸引器を示す断面図である。
【図２】同鼻汁吸引器の容器本体を示す斜視図である。
【図３】同鼻汁吸引器の吸排気弁を示す斜視図である。
【図４】同鼻汁吸引器のキャップの内側を示す斜視図である。
【図５】同鼻汁吸引器のキャップの外側を示す斜視図である。
【図６】本発明の参考例に係る鼻汁吸引器を示す断面図である。
【図７】同鼻汁吸引器の容器本体を示す斜視図である。
【図８】同鼻汁吸引器のダイヤフラムを示す斜視図である。
【実施例１】
【００１３】
以下に本発明を説明する。図１には本発明の第１実施例に係る鼻汁吸引器１０が示されている。当該鼻汁吸引器１０は、容器本体１１、蓋１２、ダイヤフラム１３、吸排気弁１４、キャップ１５、空気吸入管１６及び鼻汁吸引管１７を備えている。
図１，２に示すように、容器本体１１は上端面が開口し、上端面開口の周囲にフランジ部１１ａを形成した有底筒型を有し、容器本体の上端面開口が蓋１２で覆蓋されている。容器本体１１と蓋１２はいずれも硬質プラスチックの成型品が用いられている。蓋１２の中央部には蓋１２の内外を連通する吸入口１２ａが形成され、吸入口１２ａにシリコン製パイプの空気吸入管１６が接続されている。容器本体１１のフランジ部１１ａの外周部には等間隔で４本の凸条１１ｂが形成されている。各凸条１１ｂは容器本体１１の上端面開口から容器本体の底部側へ下降するように傾斜しながらフランジ部１１ａの円周方向に添って延びている。また、容器本体１１のフランジ部１１ａの内側底面にリング溝１１ｃが形成されている。一方、蓋１２の内部には凸条１１ｂと同じ傾斜を有する凸部１２ｂが形成されている。蓋１２は容器本体１１の上端面開口に被せて時計方向に回すことにより凸条１１ｂと凸部１２ｂが係合して容器本体１１の上端面開口に着脱可能に固着されている。容器本体１１の側面には弁座１１ｄが形成され、弁座１１ｄの内部に容器本体１１の内外を連通する排気口１１ｅと鼻汁吸引口１１ｆが形成され、弁座１１ｄの内周面に直線部１１ｇが形成されている。
【００１４】
ダイヤフラム１３はシリコンゴムなどの軟質プラスチック成型品が用いられ、上端面が開口した有底筒型の形状を備えている。ダイヤフラム１３の上端面開口の周囲にはフランジ部１３ａが形成され、このフランジ部１３ａの底部にリング凸条１３ｂが形成されている。ダイヤフラム１３は、リング凸条１３ｂが容器本体のフランジ部１１ａのリング溝１１ｃに嵌合するように容器本体１１に上端面開口から挿入されている。ダイヤフラム１３のフランジ部１３ａは容器本体１１の上端面開口に被せて固着した蓋１２により容器本体１１のフランジ部１１ａに圧着されている。容器本体１１の内部空間には、蓋１２とダイヤフラム１３で第１室１０Ａが区画形成され、ダイヤフラム１３を介して隣接する第２室１０Ｂがダイヤフラム１３と容器本体１１で区画形成されている。そして、空気吸入管１６が第１室１０Ａに連通し、後述するように鼻汁吸引管１７が第２室１０Ｂに連通している。
【００１５】
図３に示すように、吸排気弁１４はシリコンゴムなどの軟質プラスチックの成型品が用いられている。吸排気弁１４は排気用逆止弁１４ａと吸引用逆止弁１４ｂが一体に形成され、外周部に切欠部１４ｃが形成されている。吸排気弁１４は直線部１１ｇに切欠部１４ｃが当接するように弁座１１ｄに装着されている。吸排気弁１４は弁座１１ｄの外周部にネジ着けたキャップ１５によって弁座１１ｄに圧接している。
図４，５に示すように、キャップ１５には排気口１１ｅに連通する排気孔１５ａと、鼻汁吸引口１１ｆに連通する鼻汁通路１５ｂを内部に有するノズル１５ｃが形成され、ノズル１５ｃに鼻汁吸引管１７が接続されている。排気用逆止弁１４ａは排気口１１ｅと排気孔１５ａの間を導通又は遮断することにより、容器本体１１の内部から排気口１１ｅを通って外部へ空気が流出するのを許容し、容器本体１１の外部から排気口１１ｅを通って内部に空気が流入するのを阻止する機能を備えている。また、吸引用逆止弁１４ｂは鼻汁吸引口１１ｆと鼻汁吸引通路１５ｂの間を導通又は遮断することにより、容器本体１１の外部から鼻汁吸引口１１ｆを通って容器本体１１の内部に空気が流入するのを許容し、容器本体１１の内部から鼻汁吸引口１１ｆを通って外部へ空気が流出するのを阻止する機能を備えている。
【００１６】
第１実施例に係る鼻汁吸引器１０の構造は以上の通りであって、以下にその使用方法を説明する。
風邪を引いて鼻詰まりになった幼児などの鼻腔に鼻汁吸引管１７の先端部を差し込み、大人が空気吸入管１６の先端部を口に銜えて吸うと、第１室１０Ａの空気が吸引され、ダイヤフラム１３が変形して第１室１０Ａの容積が減少する。それに伴って第２室１０Ｂの容積が拡大するとともに、排気用逆止弁１４ａで第２室１０Ｂへの空気の流入が阻止されているので、第２室１０Ｂに負圧が発生する。この負圧が鼻腔に作用し、負圧で吸引用逆止弁１４ｂが開き、空気とともに鼻汁が鼻腔に差し込まれた鼻汁吸引管１７を通して第２室１０Ｂに吸引される。
【００１７】
次に、口から空気吸入１６管を通して第１室１０Ａに空気を吹き込むと、変形していたダイヤフラム１３が復元する。それに伴い、第１室１０Ａの容積が拡大するとともに排気用逆止弁１４ａが開き、第２室１０Ｂが外部に連通するので、第２室１０Ｂが元の容積まで減少する。その際、鼻汁吸引口１１ｆは吸引用逆止弁１４ｂで閉じているので、第２室１０Ｂに吸引された鼻汁が鼻汁吸引管１７へ逆流することはない。
【００１８】
本実施例に係る鼻汁吸引器１０によれば、第１室１０Ａと第２室１０Ｂがダイヤフラム１３で隔絶されているので、空気吸入管１６を強く吸っても第２室１０Ｂから鼻汁やウィルスが空気吸入管１６を通って口に吸い込まれることはなく、また幼児からの二次感染も防止できる。
【００１９】
また、蓋１２とキャップ１５を容器本体から取り外し、鼻汁吸引器１０を蓋１２、容器本体１１、ダイヤフラム１３、キャップ１５、吸排気弁１４に分解できるので、各部を別々に洗浄して汚れを除去できる。
【参考例】
【００２０】
本発明の参考例に係る鼻汁吸引器２０を図６に示す。当該鼻汁吸引器２０は、容器本体２１、蓋２２、ダイヤフラム２３、排気用逆止弁２３ｃ、キャップ２４、吸引用逆止弁２４ａ、空気吸入管１６及び鼻汁吸引管１７を備えている。
【００２１】
容器本体２１は図６，７に示すように、上端面が開口し、上端面開口の周囲にフランジ部２１ａを形成した有底筒型を有し、容器本体２１の上端面開口が蓋２２で覆蓋されている。容器本体２１と蓋２２はいずれも硬質プラスチックの成型品が用いられている。蓋２２の中央部には蓋２２の内外を連通する吸入口２２ａが形成され、吸入口２２ａに空気吸入管１６が接続されている。容器本体２１のフランジ部２１ａの外周部には等間隔で４本の傾斜を有する凸条２１ｂが形成されている。容器本体２１のフランジ部２１ａの内側底面にリング溝２１ｃが形成されている。一方、蓋の内部には凸条２１ｂと同じ傾斜を有する凸部２２ｂが形成されている。蓋２２は容器本体１１の上端面開口に被せて時計方向に回すことにより凸条２１ｂと凸部２２ｂが係合して容器本体２１の上端面開口に着脱可能に固着されている。
【００２２】
容器本体２１のフランジ部２１ａには、３箇所を切り欠いて排気口２１ｄが形成されている。容器本体の内部空間は排気口２１ｄと、容器本体に被せた蓋との間に形成される隙間を通して容器本体の外部に連通している。また、容器本体２１の側面には容器本体２１の内外を連通する鼻汁吸引口２１ｅが形成されている。
【００２３】
一方、図１，８に示すように、軟質プラスチック製のダイヤフラム２３の上端面開口の周囲に形成したフランジ部２３ａの底部にはリング凸条２３ｂが形成されている。また、フランジ部２３ａの３箇所に排気用逆止弁２３ｃが一体成形されている。ダイヤフラム２３は、ダイヤフラム２３のフランジ部２３ａのリング凸条２３ｂが容器本体２１のフランジ部２１ａのリング溝２１ｃに嵌合するように、またダイヤフラム２３のフランジ部２３ａに形成した排気用逆止弁２３ｃが容器本体２１に形成した排気口２１ｄを上から閉じるように、容器本体２１に挿入されている。
排気用逆止弁２３ｃは排気口２１ｄを開放又は閉鎖することにより、容器本体２１の内部から排気口２１ｄを通って外部へ空気が流出するのを許容し、容器本体２１の外部から排気口２１ｄを通って内部に空気が流入するのを阻止する機能を備えている。
そして、容器本体２１の上端面開口に被せて固着した蓋２２により容器本体２１のフランジ部２１ａにダイヤフラム２３のフランジ部２３ａが圧着されている。容器本体２１の内部空間には、蓋２２とダイヤフラム２３で第１室２０Ａが区画形成され、ダイヤフラム２３を介して隣接する第２室２０Ｂがダイヤフラム２３と容器本体２１で区画形成されている。そして、空気吸入管１６が吸入口２２ａを介して第１室１０Ａに連通している。
【００２４】
容器本体２１の鼻汁吸引口２１ｅには軟質プラスチック製のキャップ２４が被せられている。このキャップ２４の内部には断面形状が三角形で、その頂点にスリット２４ｂを形成した吸引用逆止弁２４ａが一体成形されている。キャップ２４に鼻汁吸引管１７が接続され、鼻汁吸引管１７が吸引用逆止弁２４ａを介して第２室２０Ｂに連通している。吸引用逆止弁２４ａはスリット２４ｂの開閉により、鼻汁吸引口２１ｅを導通、遮断し、容器本体２１の外部から鼻汁吸引口２１ｅを通って容器本体２１の内部に空気が流入するのを許容し、容器本体２１の内部から鼻汁吸引口２１ｅを通って外部へ空気が流出するのを阻止する機能を備えている。
【００２５】
参考例に係る鼻汁吸引器２０の構造は以上の通りであって、空気吸入管１６の先端部を口に銜えて吸うと、第１室１０Ａの空気が吸引され、ダイヤフラム２３が変形して第１室２０Ａの容積が減少する。それに伴って第２室２０Ｂの容積が拡大するので第２室２０Ｂに負圧が発生する。この負圧が鼻腔に作用し、負圧で吸引用逆止弁２４ａが開き、空気とともに鼻汁が鼻腔に差し込まれた鼻汁吸引管１７を通して第２室２０Ｂに吸引される。
【００２６】
口から空気吸入管１６を通して空気を吹き込むと、変形していたダイヤフラム２３が復元する。それに伴い、第１室２０Ａの容積が拡大するとともに排気用逆止弁２３ｃが開き、第２室２０Ｂの容積が元に戻る。その際、鼻汁吸引口２１ｅは吸引用逆止弁２４ａで閉じているので、第２室２０Ｂに吸引されている鼻汁が鼻汁吸引管１７へ逆流することはない。
【００２７】
なお、本発明の実施例及び参考例として鼻汁吸引器１０，２０につて説明したが、本発明は喉から痰を吸引する用途にも適用できる。
【符号の説明】
【００２８】
１０…鼻汁吸引器
１０Ａ…第１室
１０Ｂ…第２室
１１…容器本体
１１ａ…フランジ部
１１ｅ…排気口
１１ｆ…鼻汁吸引口
１２…蓋
１３…ダイヤフラム
１３ａ…フランジ部
１４ａ…排気用逆止弁
１４ｂ…吸引用逆止弁
１６…空気吸入管
１７…鼻汁吸引管（体液吸引管）
２０…鼻汁吸引器
２１…容器本体
２１ａ…フランジ部
２１ｄ…排気口
２１ｅ…鼻汁吸引口
２２…蓋
２３ｃ…排気用逆止弁
２４ａ…吸引用逆止弁
【図１】
0006053718.tif 000002
【図２】
0006053718.tif 000003
【図３】
0006053718.tif 000004
【図４】
0006053718.tif 000005
【図５】
0006053718.tif 000006
【図６】
0006053718.tif 000007
【図７】
0006053718.tif 000008
【図８】
0006053718.tif 000009